(57)【要約】【課題】容器内の錠剤を１錠ずつ外部に取り出す。【解決手段】容器の口部に装着する中栓本体１０と、中栓本体１０の下端を閉じる底部材２０と、中栓本体１０に同軸状に組み込み、錠剤を個別に収納する複数の収納部を軸まわりに形成する回転自在のキャリヤ部材３０とを設け、底部材２０、中栓本体１０には、それぞれ連続する２以上の収納部に対応する開口部２５、単一の収納部に対応する振出口１３を形成する。【選択図】図１
2008265816.tif 000002
【特許請求の範囲】
【請求項１】
容器の口部に装着する中栓本体と、該中栓本体の下端に設ける底部材と、前記中栓本体に同軸状に組み込む回転自在のキャリヤ部材とを備えてなり、該キャリヤ部材は、錠剤を個別に収納する複数の上下開放の収納部を軸まわりに形成し、前記底部材は、連続する２以上の前記収納部に対応する開口部を有し、前記中栓本体は、単一の前記収納部に対応する振出口を有し、前記キャリヤ部材は、容器を倒立させることにより前記開口部を介して容器内の錠剤を前記収納部に収納し、容器を振るごとに前記開口部から前記振出口に向けて正回転し、前記振出口から錠剤を１錠ずつ排出させることを特徴とする錠剤容器の中栓。
【請求項２】
前記底部材には、前記振出口に対応する前記収納部内の錠剤と干渉して前記キャリヤ部材の正回転を阻止するブロック材を設けることを特徴とする請求項１記載の錠剤容器の中栓。
【請求項３】
前記底部材には、前記開口部に対応する前記収納部内の錠剤と干渉して前記キャリヤ部材の逆回転を阻止する副ブロック材を設けることを特徴とする請求項１または請求項２記載の錠剤容器の中栓。
【請求項４】
前記各収納部は、錠剤を径方向に立てて収納することを特徴とする請求項１ないし請求項３のいずれか記載の錠剤容器の中栓。
【発明の詳細な説明】
【技術分野】
【０００１】
この発明は、容器から錠剤を１錠ずつ取り出すことができる錠剤容器の中栓に関する。
【背景技術】
【０００２】
容器に収納されている錠剤を所定数量ずつ取り出すために、いわゆる計量形の錠剤容器が提案されている。
【０００３】
たとえば、振出口付きの中栓の上面に計量室を設け、回転操作可能な取出口付きの透明カバーによって計量室の上面を閉じるものが知られている（特許文献１）。透明カバーには、中栓の振出口を開閉する規制部が設けられている。そこで、このものは、中栓の振出口を開いて所定数の錠剤を計量室側に振り出し、透明カバーを回転させて中栓の振出口を閉じた上、透明カバーの取出口から錠剤を外部に取り出すことができる。
【０００４】
また、ヒンジ式のキャップ付きの容器の中栓に揺動体を付設し、キャップの開閉に連動して揺動体を揺動させる形式も知られている（特許文献２、３）。このものは、キャップを閉じて、容器を倒立させて正立させることにより、中栓上の計量皿に所定数の錠剤を自動的に量り取り、キャップを開いて、量り取られた錠剤を外部に取り出すことができる。
【特許文献１】特開２００５−８８９３７号公報
【特許文献２】特開平１１−２０８７０２号公報
【特許文献３】特開平１１−２０８７０３号公報
【発明の開示】
【発明が解決しようとする課題】
【０００５】
かかる従来技術の前者によるときは、錠剤は、中栓の振出口を介して所定数を計量室に排出し、さらに透明カバーの取出口を介して外部に取り出す必要がある上、計量室内の錠剤の数を目で確認するものであるから、使用手順が煩雑であり、高齢者などの患者にとって必ずしも適切でないという問題があった。また、後者によるときは、揺動体をキャップに連動させるから、ヒンジ式のキャップ付きの容器にしか適用できない上、揺動体をキャップに連動させる連動機構が必要であり、全体構成が複雑になるという問題があった。なお、容器内の錠剤を１錠ずつ取り出すように特化した技術は、従来知れていない。
【０００６】
そこで、この発明の目的は、かかる従来技術の問題に鑑み、中栓本体と、回転自在のキャリヤ部材とを組み合わせることによって、簡単な構成でありながら、ねじ式のキャップ付きの容器にも適用可能であり、容器を倒立させて振るだけで、容器内の錠剤を１錠ずつ外部に取り出すことができる錠剤容器の中栓を提供することにある。
【課題を解決するための手段】
【０００７】
かかる目的を達成するためのこの発明の構成は、容器の口部に装着する中栓本体と、中栓本体の下端に設ける底部材と、中栓本体に同軸状に組み込む回転自在のキャリヤ部材とを備えてなり、キャリヤ部材は、錠剤を個別に収納する複数の上下開放の収納部を軸まわりに形成し、底部材は、連続する２以上の収納部に対応する開口部を有し、中栓本体は、単一の収納部に対応する振出口を有し、キャリヤ部材は、容器を倒立させることにより開口部を介して容器内の錠剤を収納部に収納し、容器を振るごとに開口部から振出口に向けて正回転し、振出口から錠剤を１錠ずつ排出させることをその要旨とする。
【０００８】
なお、底部材には、振出口に対応する収納部内の錠剤と干渉してキャリヤ部材の正回転を阻止するブロック材を設けることができ、開口部に対応する収納部内の錠剤と干渉してキャリヤ部材の逆回転を阻止する副ブロック材を設けることができる。
【０００９】
また、各収納部は、錠剤を径方向に立てて収納してもよい。
【発明の効果】
【００１０】
かかる発明の構成によるときは、中栓本体に回転自在に組み込むキャリヤ部材には、錠剤を個別に収納する上下開放の収納部が軸まわりの周方向に形成され、中栓本体の下端に設ける底部材には、開口部が形成されている。そこで、容器を倒立させると、容器内の錠剤は、開口部を介して各収納部に収納され、そのまま振出口を下側にしてたとえば斜め下向きに容器を振ると、キャリヤ部材が正回転し、振出口から錠剤を１錠ずつ外部に振り出して取り出すことができる。
【００１１】
なお、底部材の開口部、中栓本体の振出口は、中栓本体、キャリヤ部材の共通の軸まわりに互いにずれた位置に形成されており、互いに重なり合っていないものとする。また、キャリヤ部材の正回転方向の振出口と開口部との間には、中栓本体と底部材とにより上下が閉じられた１以上の収納部相当の領域が存在するものとする。そこで、キャリヤ部材は、この領域の収納部に錠剤がなく、他の領域の収納部に錠剤が入ることにより、容器を振ると、錠剤による慣性モーメントが軸まわりに不均一となり、簡単に正回転して振出口の位置に錠剤を移動させ、振出口から外部に１錠ずつ排出させることができる。
【００１２】
底部材に設けるブロック材は、振出口に対応する収納部内の錠剤と干渉してキャリヤ部材の正回転を阻止する。そこで、キャリヤ部材は、収納部内の錠剤が振出口から排出されない限り正回転することがなく、振出口から錠剤が正しく排出されて初めて正回転することになる。すなわち、キャリヤ部材は、容器を振るごとに正回転し、錠剤を１錠ずつ振出口から確実に排出させる。一方、底部材に設ける副ブロック材は、開口部に対応する収納部内の錠剤と干渉してキャリヤ部材の逆回転を阻止するから、ブロック材とともに、キャリヤ部材の回転方向を正回転のみに規制する。なお、ブロック材、副ブロック材の間は、前述の上下が閉じられた１以上の収納部相当の領域に相当し、したがって、ブロック材、副ブロック材は、この領域の両端に配置すればよい。
【００１３】
各収納部は、錠剤を径方向に立てて収納することにより、キャリヤ部材の回転を円滑にし、錠剤を振出口から円滑に排出させることができる。収納部内の錠剤は、キャリヤ部材の回転に従って周方向に回転し、過大な抵抗を生じることがない上、実質的に収納部内の姿勢を保ったまま振出口を通過することができるからである。なお、錠剤は、平面視円形とし、各収納部は、たとえば円筒状のキャリヤ部材の外周部分に扇形に形成し、キャリヤ部材の半径方向の幅を錠剤の最大厚さより大きく、錠剤の径より小さく設定すればよい。
【発明を実施するための最良の形態】
【００１４】
以下、図面を以って発明の実施の形態を説明する。
【００１５】
錠剤容器の中栓は、容器５０の口部５１に装着する中栓本体１０と、中栓本体１０の下端に設ける底部材２０と、中栓本体１０に同軸状に組み込む回転自在のキャリヤ部材３０とを備えてなる（図１、図２）。
【００１６】
容器５０は、図示しない錠剤を収納する錠剤容器である。容器５０には、ねじ式のキャップ５２が付属しており、容器５０の広口の口部５１の外周には、キャップ５２のねじに適合する雄ねじ５３が形成されている。
【００１７】
中栓本体１０は、円板状の上蓋１１の下面に円筒状のスカート１２を垂設して形成されている。上蓋１１の外径は、容器５０の口部５１の上端面とほぼ同径である。また、スカート１２の上半部の外径は、口部５１に圧入可能に仕上げられており、スカート１２の下半部の外径は、上半部より小径に絞られている。上蓋１１には、錠剤の振出口１３が偏心位置に開口されている。
【００１８】
底部材２０は、円形の浅皿状に形成されている。底部材２０の外周には、上向きのリブ２１が全周に亘って形成されており、リブ２１の外径、内径は、それぞれ中栓本体１０のスカート１２の上半部の外径、下半部の外径に適合するものとする。また、リブ２１の内側基部には、肉厚の底部２２との間にリング状の溝２３が全周に亘って形成されており、溝２３には、スカート１２の下端を差し込んで係合させることができる。
【００１９】
そこで、底部材２０は、スカート１２の下端を閉じるようにして中栓本体１０と一体に組み合わせ、中栓本体１０とともに容器５０の口部５１に装着することができる。なお、底部２２の下面中央部には、低い円錐形の膨出部２４が形成されており、膨出部２４のまわりには、中心角θ2 ＞１８０°の扇形の開口部２５が形成されている（図１、図３）。また、底部２２には、四角柱状のブロック材２６、副ブロック材２７が同一円周上に立設されており、副ブロック材２７の一面は、開口部２５の片側の辺に一致している。
【００２０】
キャリヤ部材３０は、中心軸３１の軸まわりに内輪３２、外輪３３を一体成形する二重円筒状の回転部材である（図１、図２）。中心軸３１の上下両端は、鋭く尖っており、内輪３２、外輪３３は、中心軸３１の上端部に突設する放射状のスポーク３４、３４…を介して支持されている。各スポーク３４の下面側には、内輪３２内の補強リブ３４ａ、外輪３３の内面に立設する仕切板３５が形成されている。キャリヤ部材３０は、中心軸３１の鋭く尖った両端を中栓本体１０側、底部材２０側の各軸受穴１４、２８に係合させることにより、中栓本体１０に対して同軸状に回転自在に組み込まれている。なお、中栓本体１０側の軸受穴１４は、上蓋１１の下面の中心に形成されており、底部材２０側の軸受穴２８は、底部２２の上面の中心に形成されている。そこで、中栓本体１０、底部材２０、キャリヤ部材３０は、容器５０の口部５１の軸心Ｃ上に配置されている。
【００２１】
キャリヤ部材３０は、内輪３２、外輪３３、スポーク３４、３４…、仕切板３５、３５…を介し、中心軸３１の軸まわりに上下開放の錠剤Ｔ用の収納部Ｓ、Ｓ…が形成されている（図４）。各収納部Ｓは、内輪３２、外輪３３の間において、平面視円形の錠剤Ｔを径方向に立てて個別に収納するように、幅ｄ、中心角θ＝３６０°／ｎ（ただし、ｎ＝５は、収納部Ｓ、Ｓ…の数）の扇形に形成されている。なお、各仕切板３５は、内輪３２に向けて板厚が減少するテーパ板であり、外輪３３の下端にまで到達するが、内輪３２の外面に到達していない（図２、図４）。そこで、各収納部Ｓは、錠剤Ｔを径方向に立てて安定に収納するために、必要最小に設定されている。また、底部材２０上のブロック材２６、副ブロック材２７は、内輪３２と仕切板３５、３５…との間の隙間に位置し（図４の二点鎖線）、キャリヤ部材３０の回転を妨げることがない。ただし、図４には、ブロック材２６のみが図示されている。
【００２２】
図３において、底部材２０のブロック材２６、副ブロック材２７は、開口部２５の一辺に一致する副ブロック材２７の一面からブロック材２６の中心までの中心角θ1 ＝θ＝３６０°／ｎ相当に位置決めされている。また、開口部２５は、中心角θ2 ＝３θ＞１８０°に設定され、キャリヤ部材３０の３個の収納部Ｓ、Ｓ…に対応している。なお、中栓本体１０、底部材２０は、中栓本体１０側の振出口１３がブロック材２６と開口部２５との間にほぼ位置するように組み立てられている（図３の二点鎖線）。
【００２３】
そこで、キャリヤ部材３０の各収納部Ｓは、キャリヤ部材３０が回転することにより、開口部２５に対応する位置では、開口部２５を介して容器５０の内部側だけが開放され（図３、図５）、ブロック材２６、副ブロック材２７の間の位置では、中栓本体１０、底部材２０により上下が閉じられ、振出口１３に対応する位置では、振出口１３を介して容器５０の外部にのみ開放される。ただし、振出口１３は、収納部Ｓ内に立てて収納される錠剤Ｔを円滑に排出するために、振出口１３に対応する収納部Ｓの中央よりややブロック材２６側に寄せて、中栓本体１０、キャリヤ部材３０の接線方向と平行な長辺を有し、四隅部を円弧状に丸める長方形に形成されている。
【００２４】
かかる錠剤容器の中栓の使用方法は、次のとおりである。
【００２５】
錠剤Ｔ、Ｔ…を収納した容器５０のキャップ５２を外して倒立させると、開口部２５の位置にある少なくとも２個の収納部Ｓ、Ｓにそれぞれ錠剤Ｔが個別に収納される。容器５０内の錠剤Ｔ、Ｔ…は、底部材２０上に落下し、膨出部２４を介して開口部２５に導かれる一方、開口部２５の中心角θ2 内には、少なくとも２個の収納部Ｓ、Ｓが完全に露出するからである。
【００２６】
そこで、振出口１３を下側にしてそのまま容器５０を斜め下向き方向に軽く振ると、キャリヤ部材３０が開口部２５から振出口１３に向けて正回転し（図３の矢印Ｋ1 方向）、収納部Ｓ、Ｓ内の各錠剤Ｔを振出口１３に向けて移動させることができる。キャリヤ部材３０は、開口部２５に対応する収納部Ｓ内の錠剤Ｔが副ブロック材２７に干渉し、副ブロック材２７により逆回転が阻止されるからである。なお、このようにしてキャリヤ部材３０が正回転すると、副ブロック材２７を過ぎて開口部２５側に新たに進出する収納部Ｓに錠剤Ｔが収納され、したがって、キャリヤ部材３０は、ブロック材２６、副ブロック材２７の間の収納部Ｓを除く全部の収納部Ｓ、Ｓ…に錠剤Ｔを個別に収納することができる（図６）。なお、図６の矢印Ｋ1 方向は、キャリヤ部材３０の正回転方向を示す。
【００２７】
一方、ブロック材２６は、振出口１３に対応する収納部Ｓ内の錠剤Ｔと干渉し、キャリヤ部材３０の正回転を阻止する。そこで、振出口１３に対応する収納部Ｓ内の錠剤Ｔは、振出口１３上に位置決めされ、そのまま振出口１３から外部に排出される。また、このとき、キャリヤ部材３０は、錠剤Ｔの排出によってブロック材２６による正回転の阻止が解放される。したがって、振出口１３を下側にして容器５０を斜め下向きにさらに振ると、キャリヤ部材３０が正回転し、新たに開口部２５に進出する収納部Ｓに容器５０内の錠剤Ｔが収納され、別の錠剤Ｔを振出口１３の位置に移動させて振出口１３から排出させることができ、以下同様にして、容器５０を振るごとに振出口１３から錠剤Ｔを１錠ずつ振り出して排出させることができる。なお、錠剤Ｔを振り出すとき、容器５０は、たとえば図７のように保持し、同図の矢印Ｋ2 方向に振るとよい。
【００２８】
以上の説明において、中栓本体１０、底部材２０、キャリヤ部材３０は、それぞれプラスチック材により一体成形する。なお、中栓本体１０は、これを透明材で作ることにより、振出口１３から錠剤Ｔを振り出す際に、キャリヤ部材３０の回転状況、各収納部Ｓ内の錠剤Ｔ、Ｔ…の挙動状況などを上蓋１１を透して観察することができ、容器５０の最適な振り方向や振り強さなどを容易に見出すことができる。また、底部材２０、キャリヤ部材３０も、その一方または双方を透明材としてもよい。
【他の実施の形態】
【００２９】
中栓本体１０の振出口１３は、上蓋１１の中心に近い側の一方の長辺を斜面１３ａに形成することができる（図８）。振出口１３に対応する収納部Ｓ内に立てて収納されている錠剤Ｔを中栓本体１０の外周側に傾け、振出口１３から一層円滑に排出させることができる（図８の一点鎖線、二点鎖線）。また、同様の目的で、キャリヤ部材３０の内輪３２の外面側の基部に斜面３２ａを併せて形成してもよく、斜面３２ａは、斜面１３ａとほぼ連続するように形成することが好ましい。
【００３０】
キャリヤ部材３０の収納部Ｓ、Ｓ…は、中心軸３１の軸まわりに同形の扇形に形成するに代えて、内輪３２、外輪３３を正多角形に形成することにより、中心角θ＝３６０°／ｎごとの同形の台形に形成してもよい。また、収納部Ｓ、Ｓ…の数ｎは、一般にｎ≧４であればよく、開口部２５は、連続する２以上の収納部Ｓ、Ｓ…に対応させ、ブロック材２６、副ブロック材２７の間には、上下が閉じられた１以上の収納部Ｓが存在すればよい。ただし、振出口１３は、いずれの場合も、単一の収納部Ｓに対応させるものとする。そこで、図１〜図６のように、ｎ＝５の場合、開口部２５の中心角θ2 ＝１８０°としても十分であり、このとき、ブロック材２６、副ブロック材２７の間の中心角θ1 ＝１８０°−３６０°／５＝１０８°である。
【００３１】
また、ブロック材２６、副ブロック材２７は、それぞれ所定の収納部Ｓ内の錠剤Ｔと干渉してキャリヤ部材３０の正回転、逆回転を阻止し得る限り、角柱状以外の任意の形状に変形し得るものとする。たとえば、ブロック材２６、副ブロック材２７は、正方形、長方形以外の断面形状としてもよく、それぞれの長さ方向に断面形状を変化させてもよく、底部材２０の底部２２上に円弧状に連続する一体のリブとしてもよい。
【図面の簡単な説明】
【００３２】
【図１】全体構成分解斜視図
【図２】使用状態を示す全体縦断面図
【図３】底部材の上面図
【図４】キャリヤ部材の下面図
【図５】全体組立斜視図
【図６】使用状態説明図（１）
【図７】使用状態説明図（２）
【図８】他の実施の形態を示す要部構成図
【符号の説明】
【００３３】
Ｔ…錠剤
Ｓ…収納部
１０…中栓本体
１３…振出口
２０…底部材
２５…開口部
２６…ブロック材
２７…副ブロック材
３０…キャリヤ部材
５０…容器
５１…口部
特許出願人          伸晃化学株式会社
代理人  弁理士        松  田  忠  秋
【図１】
2008265816.tif 000003
【図２】
2008265816.tif 000004
【図３】
2008265816.tif 000005
【図４】
2008265816.tif 000006
【図５】
2008265816.tif 000007
【図６】
2008265816.tif 000008
【図７】
2008265816.tif 000009
【図８】
2008265816.tif 000010